(57)【特許請求の範囲】
【請求項１】
基板に複数本の毛髪が取り付けられた増毛用ピースを装着して該増毛用ピースを頭皮に粘着させる際に用いる筒状の増毛用ユニットを複数収容し、各増毛用ユニットによる増毛用ピースの頭皮への粘着を連続して行うことを可能にする増毛装置であって、
前記複数の増毛用ユニットを中心軸を平行にして連接した状態で収容する４辺形状のケース部と、該ケース部の角部に形成された毛髪射出開口と、収容した前記増毛用ユニットを前記毛髪射出開口側に押出すように付勢する押出し手段とからなり、
押出された前記増毛用ユニットを、前記４辺形状の前記毛髪射出開口を挟んだ一方の辺部の内側に沿って順次保持しつつ、各増毛用ユニットに装着された前記増毛用ピースを前記毛髪射出開口を介して頭皮に粘着し、
且つ前記毛髪射出開口を挟んだ他方の辺部は、前記一方の辺部に対して３０°〜８５°の角度で傾斜して延設している増毛装置。
【請求項２】
前記複数の増毛用ユニットは、中心軸を平行にして連接した状態でカートリッジに収容されており、該カートリッジをケース部本体に着脱可能に装着することにより、前記４辺形状のケース部が形成される請求項１記載の増毛装置。
【請求項３】
前記増毛用ユニットは、２段に俵積みされて連接した状態で前記ケース部に収容される請求項１又は２に記載の増毛装置。
【請求項４】
前記増毛用ユニットは、基板に複数本の毛髪が取り付けられた増毛用ピースをユニット本体に装着したものであって、該ユニット本体は、前記毛髪が収容される筒状部と、該筒状部の先端面に設けられた細管部とからなり、前記増毛用ピースは、前記毛髪が前記細管部の先端開口から筒状部に向けて挿入されている状態で前記基板を前記先端開口に仮止めすることにより前記ユニット本体に装着されている請求項１〜３のいずれかに記載の増毛装置。
【発明の詳細な説明】
【０００１】
【発明の属する技術分野】
本発明は、増毛装置に関し、特に多数の毛髪による増毛を行うことのできる増毛装置に関する。
【０００２】
【従来の技術及び発明が解決しようとする課題】
増毛技術としては、かつらを用いる方法や、自毛の根本に人工毛髪を結着させる方法等が一般的に知られている。かつらを使用する方法は、広い面積を一度に覆うことができる反面、むれやすく、また一気に外観がかわるため不自然で、初期コスト及び維持費も高価である。人工毛髪を結着させる方法は、自毛に負担をかけることになるため、かえって脱毛を促進させることになる。
【０００３】
これに対し、複数本の人工毛髪を有する増毛用ピースを接着剤を介して頭皮に直接接着させるようにした増毛技術が、例えば特開平８−４１７１８号公報に記載されている。また実開平５−９４２２６号公報や、特開平５−７８９０１号公報には、このような増毛用ピースを複数頭皮に接着させて多数の毛髪による増毛を行うことのできるのできる増毛装置が開示されている。
【０００４】
しかしながら、これらの従来の増毛装置によれば、複数の増毛用ピースを装置から連続的に取り出すことは容易であるが、各増毛用ピースを頭皮に接着する際には、設置すべき箇所を鏡等を介して直接視認することが困難なため、一人で増毛作業を行う場合の取り扱いが難しく、迅速に増毛することできないという課題があった。
【０００５】
本発明は、一人で増毛作業を行う場合でも、設置すべき箇所に増毛用ピースをスムースに粘着させて、多数の毛髪による増毛を迅速かつ容易に行うことのできる増毛装置の提供を目的とする。
【０００６】
【課題を解決するための手段】
本発明は、基板に複数本の毛髪が取り付けられた増毛用ピースを装着して該増毛用ピースを頭皮に粘着させる際に用いる筒状の増毛用ユニットを複数収容し、各増毛用ユニットによる増毛用ピースの頭皮への粘着を連続して行うことを可能にする増毛装置であって、前記複数の増毛用ユニットを中心軸を平行にして連接した状態で収容する４辺形状のケース部と、該ケース部の角部に形成された毛髪射出開口と、収容した前記増毛用ユニットを前記毛髪射出開口側に押出すように付勢する押出し手段とからなり、押出された前記増毛用ユニットを、前記４辺形状の前記毛髪射出開口を挟んだ一方の辺部の内側に沿って順次保持しつつ、各増毛用ユニットに装着された前記増毛用ピースを前記毛髪射出開口を介して頭皮に粘着し、且つ前記毛髪射出開口を挟んだ他方の辺部は、前記一方の辺部に対して３０°〜８５°、好ましくは５０°〜７０°の角度で傾斜して延設している増毛装置を提供することにより、上記目的を達成したものである。
【０００７】
【発明の実施の形態】
本発明の好ましい第１実施形態に係る増毛装置１０は、毛髪の薄い部分の頭皮に多数の毛髪を粘着して増毛を行う際に使用される装置である（図２参照）。すなわち、本第１実施形態の増毛装置１０は、基板１２に複数本の毛髪１３が取り付けられた増毛用ピース１１（図１０参照）を装着してこの増毛用ピース１１を頭皮に粘着させる際に用いる筒状の増毛用ユニット１４（図８参照）を複数収容しており（図１参照）、各増毛用ユニット１４による増毛用ピース１１の頭皮への粘着を連続して行うことを可能にするものである。
【０００８】
そして、本第１実施形態に係る増毛装置１０は、図１に概念図として示すように、複数の増毛用ユニット１４を中心軸を平行にして連接した状態で収容する４辺形状のケース部３０と、このケース部３０の一つの角部に形成された毛髪射出開口３１と、収容した増毛用ユニット１４を毛髪射出開口３１側に押出すように付勢するバネ等からなる押出し手段３２とからなり、押出された増毛用ユニット１４を、４辺形状のケース部３０の毛髪射出開口３１を挟んだ一方の辺部３３の内側に沿って順次保持しつつ、各増毛用ユニット１４に装着された増毛用ピース１１を毛髪射出開口３１を介して頭皮に粘着する。また本第１実施形態の増毛装置１０は、毛髪射出開口３１を挟んだ他方の辺部３４が、一方の辺部３３に対して６０度の角度θで傾斜して延設していることにより、後述するように、増毛用ピース１１を頭皮の所望の粘着箇所に粘着させる作業を、一人でも容易に行うことが可能になる。
【０００９】
本第１実施形態の増毛装置１０を構成するケース部３０は、より具体的には、図３に示すカートリッジ３５と、このカートリッジ３５が着脱可能に装着される図４に示すケース部本体３６とからなる。カートリッジ３５は、透明な合成樹脂製の略平行４辺形の平面形状を有する中空厚板状のカートリッジ容器であって、内部に円筒状の増毛用ユニット１４が、その中心軸を平行にして連接した状態で複数収容されている。カートリッジ３５の一方の短辺部は送出し開口３７として開口していて、ケース部本体３６にカートリッジ３５が装着された際に、この送出し開口３７から増毛用ユニット１４を順次送出すことができるようになっている。またカートリッジ３５の裏面側には、送出し開口３７からカートリッジ３５の長辺部と平行に延設して、帯状切欠き３８が略全長に亘って形成されており、ケース部本体３６にカートリッジ３５が装着された際に、この帯状切欠き３８に沿ってケース部本体３６の押出し係止部３９が増毛用ユニット１４を係止しつつスライド移動できるようになっている。
【００１０】
ケース部本体３６は、略平行４辺形の平面形状を有する板状基板部４０と、この板状基板部４０の一方の短辺部に沿って設けられたユニット保持シェル部４１とからなる。板状基板部４０の内側面には、長辺部と平行に設けた一対の案内レール４２に沿ってスライド移動する押出し係止部３９が設けられ、また両端を押出し係止部３９及びユニット保持シェル部４１の内部に各々連結して伸張することにより、押出し係止部３９をユニット保持シェル部４１側に付勢するバネ４３が設けられている。なお、押出し係止部３９及びバネ４３は、増毛用ユニット１４を毛髪射出開口３１側に押出すように付勢する本発明の押出し手段を構成する。また、板状基板部４０のユニット保持シェル部４１とは反対側の端部には一対の案内レール４２の間に位置してストッパー係止溝４４（図６参照）が設けられ、このストッパー係止溝４４に押出し係止部３９のストッパー４５を係止しておくことにより、カートリッジ３５を装着するのに先立って、バネ４３を伸張した状態で押出し係止部３９を板状基板部４０の端部に仮固定しておくことができるようになっている。
【００１１】
ユニット保持シェル部４１は、装着されたカートリッジ３５から送出される増毛用ユニット１４を一つ一つ取り出してケース部本体３６の短辺部に沿って順次保持する外郭部分であって、３翼のプロペラ断面状の回転レバー４６が設けられていると共に、これの下端部が開口して毛髪射出開口３１となっている。またケース部本体３６の短辺部に位置するユニット保持シェル部４１の端面は、増毛用ユニット１４の押出し開口面４７となっていると共に、この押出し開口面４７を挟んだ一対の挟持片４８の間の間隔が増毛用ユニット１４の直径よりも若干小さくなっていることにより、この挟持片４６の弾性によって当該一対の挟持片４６の間に増毛用ユニット１４を挟み込むようにして一時固定できるようになっている。
【００１２】
そして、本第１実施形態によれば、図５に示すように、カートリッジ３５がケース部本体３６に着脱可能に装着一体化されて、増毛装置１０が得られる。すなわち、図６（ａ）及び（ｂ）に示すように、帯状切欠き３８が形成されたカートリッジ３５の裏面側を押出し係止部３９に対向させつつ、カートリッジ３５の送出し開口３７側の端部をユニット保持シェル部４１に挿入すると共に、当該カートリッジ３５を押付けるようにして板状基板部４０に装着すれば、この押付け力によって、押出し係止部３９のストッパー４５のストッパー係止溝４４への係止状態が外れると共に、カートリッジ３５内の最後尾に位置する増毛用ユニット１４は、押出し係止部３９の一対のユニット保持リブ４９の間に填め込まれるようにして保持される。これによってカートリッジ３５内の増毛用ユニット１４は、バネ４３によって、毛髪射出開口３１を備えるユニット保持シェル部４１側に押出されるように付勢された状態となる。
【００１３】
そして、このようにカートリッジ３５をケース部本体３６に装着した状態で、回転レバー４６を略１２０度回転させれば、カートリッジ３５内の最先端に位置する増毛用ユニット１４は、回転レバー４６の隣接する一対の翼の間に挟み込まれると共に、当該回転レバー４６の回転力とバネ４３の付勢力によって、ユニット保持シェル部４１の押出し開口面４７を挟んだ一対の挟持片４８の間に押出されて挟持され、これによって増毛用ユニット１４は、４辺形状のケース部３０の毛髪射出開口３１を挟んだ一方の辺部３３の内側に沿って安定した状態で保持されることになる。この状態では、増毛用ユニット１４のヘッド部１８は、毛髪射出開口３１を介してケース部３０の外側に臨むことになり、このヘッド部１８に仮止めされた増毛用ピース１１の頭皮への粘着作業を行うことが可能になる。
【００１４】
一対の挟持片４８によって保持された増毛用ユニット１４による増毛用ピース１１の粘着が終了したら、回転レバー４６を更に略１２０度回転させる。これによって次の増毛用ユニット１４が回転レバー４６の隣接する一対の翼に挟み込まれると共に、増毛用ピース１１の粘着が終了した空の増毛用ユニット１４を押出し開口面４７から押出しつつ、これと入れ替わるようにして一対の挟持片４８の間に挟持され、当該入れ替わった増毛用ユニット１４による増毛用ピース１１の頭皮への粘着が行われる。さらに同様の作業を繰り返して、カートリッジ３５に収容された複数の増毛用ユニット１４による増毛を順次スムースに繰り返すことができる。複数の増毛用ユニット１４による増毛作業が終了してカートリッジ３５が空になったら、新しいカートリッジ３５と取り替えて、引き続いて多数本の毛髪による増毛作業を行うこともできる。
【００１５】
本第１実施形態によれば、カートリッジ３５に収容される各増毛用ユニット１４は、図８に示すように、基板１２に複数本の毛髪１３が取り付けられた増毛用ピース１１をユニット本体５０に装着することによって構成されている。ユニット本体５０は、増毛用ピース１１の毛髪１３が収容される筒状部１５と、この筒状部１５の先端面から突出して設けられた細管部としての突出細管１６とからなり、増毛用ピース１１（図１０参照）は、毛髪１３が突出細管１６の先端開口から筒状部１５に向けて挿入されている状態で、基板１２を先端開口に仮止めすることにより、ユニット本体５０に装着されている。
【００１６】
ユニット本体５０の筒状部１５は、図９（ａ）〜（ｄ）にも示すように、一端部が半球状に湾曲して閉塞され、他端が円形に開口する外径１０ｍｍ程度，長さ６０ｍｍ程度の大きさのシリンダー部１７（（ｂ）参照）と、シリンダー部１７の他端開口を閉塞するように取り付けられるヘッド部１８（（ａ），（ｃ），（ｄ）参照）とからなり、ヘッド部１８の先端面には突出細管１６が５箇所から突出して設けられている。また本第１実施形態によれば、ヘッド部１８の背面側には、その中央部分から立設して、断面を半円状に湾曲させた毛髪保持プレート１９が毛髪保持手段として設けられている。毛髪保持プレート１９は、その半円状断面の内側に中央の突出細管１６と連通する挿通孔２０を配置させて、ヘッド部１８の中央部分に設けれられ、これによって各挿通孔２０から延設される増毛用ピース１１の毛髪１３を、当該毛髪保持プレート１９の先端でＵ字形状に曲折させた状態で筒状部１５の内部に保持できるようになっている。
【００１７】
突出細管１６は、外径２．２ｍｍ程度、内径０．８ｍｍ程度の円筒管であって、ユニット本体１４の先端面を構成するヘッド部１８の先端面から３ｍｍ程度の長さで突出配置される。また突出細管１６は、ヘッド部１８の先端面の中央に１カ所、及びその周囲に９０度の等角度間隔で４カ所の合計５カ所に、略均等に分散して設けられている。各突出細管１６は、その基端部分においてヘッド部１８を貫通して形成された挿通孔２０と連通し、増毛用ピース１１の毛髪１３を筒状部１５の内部に向けて挿通させる。なお、突出細管１６の外径は、２〜３ｍｍ程度とすることが好ましい。突出細管１６の外径を２〜３ｍｍとすることにより、細管１６の肉厚が細くなりすぎて破損することがなく、また自毛２５（図１３参照）をかきわけることを効果的に行うことができる。また、突出細管１６の突出長さは、１０ｍｍ以下が好ましく、０．５〜２ｍｍが特に好ましい。突出長さを０．５〜１０ｍｍとすることにより、自毛２５を効果的にかきわけることができ、またコンパクトさを保持してねらった所に植毛しやすくすることができる。
【００１８】
本第１実施形態によれば、増毛用ピース１１は、図１０に概念図として示すように、裏面に粘着剤２１が塗着された基板１２と、この基板１２の表面に植設された複数の毛髪１３とからなる。また粘着剤２１の粘着面には、微粉体としてのマイクロビーズ２２が撒かれていることにより、当該増毛用ピース１１を使用する前に、指やその他の物が粘着剤２１に接触しないように当該粘着剤２１を保護している。
【００１９】
基板１２は、直径３ｍｍ程度の円形の平面形状を有し、ウレタン又はポリエステルからなる５〜１００μｍ程度の厚さのものである。基板１２は、２００ｇ／ｍ2 ２４ｈ程度の透湿度（ＪＩＳ規格Ｚ０２０８カップ法Ｂ法による透湿度、測定条件４０℃、９０％ＲＨにて測定）と、２〜７ＭＰａ程度の機械強度（ＪＩＳ規格Ｋ６３０１による引っ張り試験機械強度１００％モジュラス２５℃）を備え、これによって頭皮の動きに追随する適度の可撓性と、複数の毛髪１３を一定期間安定して支持すると共に頭皮に負荷される物理的な荷重を受けても破損しない程度の物性を備える。また、その透湿性によって頭皮からの発汗作用に極端な影響を与えることがない。
【００２０】
粘着剤２１は、２００ｇ／ｍ2 ２４ｈ程度の透湿度（ＪＩＳ規格Ｚ０２０８カップ法Ｂ法による透湿度、測定条件４０℃、９０％ＲＨにて測定）を備える例えばＮ−アルキル置換アクリルアミドや（メタ）アクリレート、好ましくはアクリル酸ブチルアミド、アクリル酸２−エチルヘキシル、酢酸ビニル共重合体等からなり、５〜１００μｍ程度の厚さで、基板１２の裏面の全体に塗着される。これによって、裏面に粘着剤２１が塗着された基板１２は、その全体の厚さが１０〜２００μｍ程度に留まるので、増毛用ピース１１を頭皮に粘着させた際に、指で触ってもほとんど感知することができず、取り付け後の違和感から開放されることになる。また、その透湿性によって頭皮からの発汗作用に極端な影響を与えることがない。
【００２１】
基板１２の表面に植設される毛髪１３は、人工毛髪或いは天然毛髪のいずれも使用することができるが、本実施形態によれば、例えば超音波溶融によって、１０ｃｍ程度の長さの６本の人工毛髪が植設されている。なお、植設される毛髪１３の本数や長さは、自毛２５の頭皮における密度や長さ等を鑑みて適宜設定することができる。
【００２２】
マイクロビーズ２２は、シリカ等からなる粒径０．５〜１０μｍ程度の大きさの粘着剤２１よりも硬い硬度の微粉体であって、乾式液晶スペーサ散布法（特開平６−１６０７９０号公報に記載の方法）により、粘着剤２１の粘着面の全体にわたって略２〜５％の領域を覆うように付着している。なお、マイクロビーズ２２によって粘着剤２１の粘着面を覆う領域が広すぎると、基板１２が頭皮に充分に粘着しないおそれがあり、粘着面を覆う領域が狭すぎると、当該増毛用ピース１１を使用する前に、指やその他の物が粘着剤２１に接触しやすくなる。
【００２３】
マイクロビーズ２２は、増毛用ピース１１の未使用時に粘着剤２１の粘着面に付着した状態から、増毛用ピース１１の使用時において基板１２を頭皮に押し付ける押圧力を受けると、この押圧力の作用によって、図１１に示すように、粘着剤２１の内部に沈み込んでゆき、粘着剤２１を粘着面に表出させることにより、当該粘着剤２１を介して基板１２を頭皮に粘着させる。
【００２４】
そして、上記構成の増毛用ピース１１は、毛髪１３が突出細管１６の先端開口から筒状部１５に向けて挿入されている状態で基板１２を突出細管１６の各先端開口に仮止めすることにより、ユニット本体５０に各々装着される（図８参照）。即ち、図１２に示すように、５カ所の突出細管１６の各先端開口から増毛用ピース１１の毛髪１３を挿入し、毛髪１３の植毛部位の周囲に位置する基板１２の表面を各突出細管１６の開口縁部２３に当接させ、仮止用粘着剤２４を介して粘着することにより、粘着剤２１が塗着された基板１２の裏面を先端側に向けた状態で、５つの増毛用ピース１１を増毛用ユニット１４に各々取り付ける。なお、仮止用粘着剤２４に代えて仮止用接着剤を用いることもできる。
【００２５】
本第１実施形態によれば、仮止用粘着剤（又は接着剤）２４は、粘着剤２１の粘着力よりも弱い粘着力を有する粘着剤（又は接着剤）からなり、各突出細管１６の開口縁部２３に予め塗着される。そして、基板１２の表面を開口縁部２３に当接させた際に、当該表面を粘着して、増毛用ユニット１４の未使用時に各増毛用ピース１１を突出細管１６から抜け落ちないように安定した状態で仮止めする。また増毛用ユニット１４の使用時には、図１３（ａ）及び（ｂ）に示すように、粘着力の強い粘着剤２１により頭皮に粘着した基板１２を、各突出細管１６の開口縁部２３から引き剥がして、毛髪１３を円筒部１６からスムースに抜き出しつつ増毛用ピース１１による植毛ができるようになっている。なお、仮止用粘着剤（又は接着剤）２４は非水溶性、水溶性いずれでもよいが、水溶性のものを用いることが好ましい。水溶性の粘着剤（又は接着剤）を用いることにより、増毛用ピース１１を頭皮に粘着した後に、基板１２の表面側に付着したまま残った仮止用粘着剤（又は接着剤）２４を洗い落として、当該仮止用粘着剤（又は接着剤）２４に汚れ等が付着するのを回避することができる。ここで、粘着剤としてはＮ−アルキル置換アクリルアミドや（メタ）アクリレート等を用いることができ、接着剤としては、ポリビニルアルコール、ポリアクリル酸、ポリビニルピロリドン等を用いることができる。
【００２６】
また、本第１実施形態によれば、増毛用ユニット１４は、ユニット本体５０の先端面が１０ｍｍ程度の直径の円形形状を有し、これによって１ｃｍ2 程度の広さの領域の頭皮に増毛することを目的としているのに対して、先端面に略均等に分散して突出する５カ所の突出細管１６には、６本の毛髪１３を有する増毛用ピース１１が各々取り付けられいることから、かかる増毛用ユニット１４によって、１ｃｍ2 の頭皮に対して５×６＝３０本の毛髪１３を一度に植毛できることになる。一般に天然の自髪の数は、１ｃｍ2 の頭皮に対して１００〜２００本とされているが、３０本／ｃｍ2 で植毛すると隠蔽効果がある。本第１実施形態によれば、増毛用ユニット１４を用いて増毛用ピース１１を粘着させることにより、自毛に近い自然さでバランス良くスムースに増毛することが可能になる。
【００２７】
さらに、本第１実施形態によれば、１０ｃｍ程度の長さの毛髪１３は、６０ｍｍ程度の長さの筒状部１５の内部において、毛髪保持プレート１９によりＵ字形状に曲折させた状態に保持されて、互いに絡みつくことなくまとまった状態で収容されるので、長い毛髪１３を増毛する場合でも、当該増毛用ユニット１４をコンパクトな形状にすることができると共に、筒状部１５からのスムースな抜き出しを可能にする。
【００２８】
そして、本第１実施形態の増毛装置１０によれば、一人で増毛作業を行う場合でも、粘着すべき箇所に増毛用ピース１１をスムースに粘着させて、多数の毛髪による増毛を迅速かつ容易に行うことができる。すなわち、本第１実施形態の増毛装置１０は、ケース部３０の毛髪射出開口３１を挟んだ、増毛用ユニット１４が保持される一方の辺部３３に対する他方の辺部３４の傾斜角度θが６０度となっていて、図２に示すように当該他方の辺部３４の下方における鏡５１に反射させた視界が拡がっているので、当該増毛装置１０を用いて増毛作業を行う本人が、粘着すべき箇所を鏡５１を介して容易に直接視認することでき、これによって増毛用ユニット１４に装着された増毛用ピース１１を、毛髪射出開口３１を介して頭皮の粘着すべき箇所にスムースに粘着させることが可能になる。また、回転レバー４６を略１２０度づつ回転させるだけの操作によって、カートリッジ３５に収容される複数の増毛用ユニット１４を順次交換しながら連続して増毛作業を行うことができるきると共に、カートリッジ３５もまた容易に交換することができるので、多数の毛髪による増毛を迅速に行うことが可能になる。
【００２９】
なお、本発明によれば、毛髪射出開口を挟んだ一方の辺部に対する他方の辺部の傾斜角度θは３０°〜８５°、好ましくは５０°〜７０°とする必要がある。傾斜角度θが８５°以下であることにより植毛しようとしている所が見えにくくならない。また３０°以上であることにより、増毛ユニットのスムースな押し出しを行うことができる。
【００３０】
図７は、本発明の第２実施形態に係る増毛装置６０を示すものである。本第２実施形態に係る増毛装置６０もまた、上記第１実施形態の増毛装置１０と同様に、図１に概念図として示すような複数の増毛用ユニット１４を収容する４辺形状のケース部６１と、このケース部６１の一つの角部に形成された毛髪射出開口６２と、収容した増毛用ユニット１４を毛髪射出開口６２側に押出すように付勢するバネ等からなる押出し手段６３とからなり、かつ毛髪射出開口６２を挟んだ他方の辺部７１は、一方の辺部７０に対して６０度の角度で傾斜して延設している。
【００３１】
本第２実施形態の増毛装置６０によれば、ケース部６１は、カートリッジを装着することなく、側端部に設けた着脱可能な蓋体６４を取り外して増毛用ユニット１４を必要に応じて補充するタイプのものであり、またケース部６１の内部には、複数の増毛用ユニット１４が、２段に俵積みされた状態で中心軸を平行にして収容されている。また、蓋体６４の内側には、押出し手段６３を構成する押圧バネ６５と押圧プレート６６が取り付けられており、蓋体６４をケース部６１に装着固定した際に押圧バネ６５を収縮させて、収容した増毛用ユニット１４を毛髪射出開口６２側に押出すように付勢する。さらに、蓋体６４と反対側に位置する、ケース部６１の一方の辺部７０である側端面は、増毛用ユニット１４の押出し開口面６７となっていると共に、この押出し開口面６７を挟んだ一対の挟持片６８の間に増毛用ユニット１４を挟み込んで保持することができるようになっている。さらにまた、ケース部６１の端部には、一方の辺部７０に沿って、３翼のプロペラ断面状の回転レバー６９が設けられている。
【００３２】
そして、本第２実施形態の増毛装置６０によっても、ケース部６１の毛髪射出開口６２を挟んだ一方の辺部７０に対する他方の辺部７１の傾斜角度θが６０度となっていることにより、増毛作業を行う本人が、粘着すべき箇所を鏡５１を介して容易に直接視認することできると共に、回転レバー６９を回転させて増毛用ユニット１４を順次容易に交換することができ、これらによって、上記第１実施形態の増毛装置１０と略同様の作用効果を奏することになる。
【００３３】
なお、本発明は、上記各実施形態に限定されることなく種々の変更が可能である。例えば、ケース部は、略平行４辺形の平面形状を備えている必要は必ずしもなく、台形状等その他の４辺形状であっても良い。また、増毛用ピースを装着した増毛用ユニットの細管部は、ヘッド部の先端面から突出配置した突出細管である必要は必ずしもない。
【００３４】
【発明の効果】
本発明の増毛装置によれば、一人で増毛作業を行う場合でも、設置すべき箇所に増毛用ピースをスムースに粘着させて、多数の毛髪による増毛を迅速かつ容易に行うことができる。
【図面の簡単な説明】
【図１】本発明の第１及び第２実施形態に係る増毛装置の概念図である。
【図２】本発明の第１及び第２実施形態に係る増毛装置を用いて増毛を行う際の説明図である。
【図３】増毛用ユニットを収容したカートリッジの斜視図である。
【図４】カートリッジが装着されるケース部本体の斜視図である。
【図５】本発明の第１実施形態に係る増毛装置の正面図である。
【図６】（ａ）はカートリッジをケース部本体に装着する状況を説明する断面図、（ｂ）はカートリッジから順次増毛用ユニット取り出す状況を説明する断面図である。
【図７】本発明の第２実施形態に係る増毛装置の断面図である。
【図８】増毛用ユニットの斜視図である。
【図９】（ａ）は増毛用ユニットのユニット本体を構成するヘッド部の側面図、（ｂ）はシリンダー部の断面図、（ｃ）は（ａ）を上方から見た平面図、（ｄ）は（ａ）を下方から見た平面図である。
【図１０】増毛用ピースを説明する概念図である。
【図１１】増毛用ピースを頭皮に取り付けた状態を説明する概念図である。
【図１２】増毛用ピースを突出細管の開口縁部に仮止めする状況の説明図である。
【図１３】（ａ）及び（ｂ）は、増毛用ユニットを用いて増毛用ピースを頭皮に粘着する状況の説明図である。
【符号の説明】
１０，６０  増毛装置
１１  増毛用ピース
１２  基板
１３  毛髪
１４  増毛用ユニット
１８  ヘッド部
３０，６１  ケース部
３１，６２  毛髪射出開口
３２，６３  押出し手段
３３，７０  一方の辺部
３４，７１  他方の辺部
３５  カートリッジ
３６  ケース部本体
３７  送出し開口
３８  帯状切欠き
３９  押出し係止部
４０  板状基板部
４１  ユニット保持シェル部
４２  案内レール
４３  バネ
４４  ストッパー係止溝
４５  ストッパー
４６，６９  回転レバー
４７，６７  押出し開口面
４８，６８  挟持片
４９  ユニット保持リブ
５０  ユニット本体
６４  蓋体
６５  押圧バネ
６６  押圧プレート
θ    傾斜角度
【図１】
0004744728.tif 000002
【図２】
0004744728.tif 000003
【図３】
0004744728.tif 000004
【図４】
0004744728.tif 000005
【図５】
0004744728.tif 000006
【図６】
0004744728.tif 000007
【図７】
0004744728.tif 000008
【図８】
0004744728.tif 000009
【図９】
0004744728.tif 000010
【図１０】
0004744728.tif 000011
【図１１】
0004744728.tif 000012
【図１２】
0004744728.tif 000013
【図１３】
0004744728.tif 000014